(57)【要約】【課題】脱臭性能の低下を抑制した脱臭装置を得ること。【解決手段】モータ５及びモータ５によって回転する多翼式羽根４を有する送風機１５と、多翼式羽根４を収容する筐体部６と、送風機１５が吸引した空気の臭気成分を吸着除去する脱臭フィルタ２と、脱臭フィルタ２を保持する嵌め込み治具３と、脱臭フィルタ２及び嵌め込み治具３を筐体部６に固定する脱臭フィルタ固定具１３とを有し、嵌め込み治具３は、脱臭フィルタ２を保持する側に、脱臭フィルタ２に点接触又は線接触する突起部１１を備え、突起部１１以外の部分では、嵌め込み治具３と脱臭フィルタ２との間に隙間が形成される。【選択図】図１
2020058513.tif 000002
【特許請求の範囲】
【請求項１】
モータ及び前記モータによって回転する多翼式羽根を有する送風機と、
前記多翼式羽根を収容する筐体部と、
前記送風機が吸引した空気の臭気成分を吸着除去する脱臭フィルタと、
前記脱臭フィルタを保持する嵌め込み治具と、
前記脱臭フィルタ及び前記嵌め込み治具を前記筐体部に固定する脱臭フィルタ固定具とを有し、
前記嵌め込み治具は、前記脱臭フィルタを保持する側に、前記脱臭フィルタに点接触又は線接触する突起部を備え、
前記突起部以外の部分では、前記嵌め込み治具と前記脱臭フィルタとの間に隙間が形成されることを特徴とする脱臭装置。
【請求項２】
前記突起部は、錐体状又は多角柱状であることを特徴とする請求項１に記載の脱臭装置。
【請求項３】
前記突起部は、前記送風機が吸引した空気の流れにおける風上側から前記脱臭フィルタに接することを特徴とする請求項１又は２に記載の脱臭装置。
【請求項４】
前記突起部は、前記脱臭フィルタの外周部と接触し、前記嵌め込み治具と前記脱臭フィルタの外周部との隙間を塞ぐことを特徴とする請求項１から３のいずれか１項に記載の脱臭装置。
【請求項５】
前記脱臭フィルタ固定具は、前記脱臭フィルタの外周部と接触する風漏れ防止リブを備え、
前記風漏れ防止リブは、前記脱臭フィルタ固定具と前記脱臭フィルタの外周部との隙間を塞ぐことを特徴とする請求項１から４のいずれか１項に記載の脱臭装置。
【発明の詳細な説明】
【技術分野】
【０００１】
本発明は、空気中の臭気成分を除去する脱臭装置に関する。
【背景技術】
【０００２】
モータ及び羽根で構成された送風機と、脱臭フィルタ、電気集塵装置又はイオン発生装置とを備えた据置型の空気清浄装置が普及している。
【０００３】
特許文献１には、集塵、除菌及び脱臭各機能を有する装置を備え、天井面に設けられた化粧グリルから空気を吹き出す空調装置が開示されている。特許文献１に開示される空調装置は、送風機によって筐体に通風することにより集塵、除菌及び脱臭の各機能を実現できる。
【先行技術文献】
【特許文献】
【０００４】
【特許文献１】特開２０１３−１３８９８０号公報
【発明の概要】
【発明が解決しようとする課題】
【０００５】
しかし、特許文献１に開示される空調装置において、脱臭機能を有する触媒フィルタは、ケーシングに収容された状態で筐体内の風路に配置されている。このため、特許文献１に開示される送風装置は、触媒フィルタの気流が流入する面にケーシングが面接触し、触媒フィルタの一部がケーシングによって閉塞されると、通風可能な有効面積が減少し脱臭性能が低下してしまう。
【０００６】
本発明は、上記に鑑みてなされたものであって、脱臭性能の低下を抑制した脱臭装置を得ることを目的とする。
【課題を解決するための手段】
【０００７】
上述した課題を解決し、目的を達成するために、本発明は、モータ及びモータによって回転する多翼式羽根を有する送風機と、多翼式羽根を収容する筐体部と、送風機が吸引した空気の臭気成分を吸着除去する脱臭フィルタと、脱臭フィルタを保持する嵌め込み治具と、脱臭フィルタ及び嵌め込み治具を筐体部に固定する脱臭フィルタ固定具とを有する。嵌め込み治具は、脱臭フィルタを保持する側に、脱臭フィルタに点接触又は線接触する突起部を備える。突起部以外の部分では、嵌め込み治具と脱臭フィルタとの間に隙間が形成される。
【発明の効果】
【０００８】
本発明によれば、脱臭性能の低下を抑制した脱臭装置を得られるという効果を奏する。
【図面の簡単な説明】
【０００９】
【図１】本発明の実施の形態１に係る脱臭装置の断面図
【図２】実施の形態１に係る脱臭装置の下面図
【図３】実施の形態１に係る脱臭装置の嵌め込み治具及び脱臭フィルタの斜視図
【図４】実施の形態１に係る嵌め込み治具及び脱臭フィルタの断面図
【図５】実施の形態１に係る脱臭装置の突起部の形状を示す図
【図６】実施の形態１に係る脱臭装置の脱臭フィルタ固定具と嵌め込み治具との嵌合状態を示す図
【図７】本発明の実施の形態２に係る脱臭装置の断面図
【発明を実施するための形態】
【００１０】
以下に、本発明の実施の形態に係る脱臭装置を図面に基づいて詳細に説明する。なお、この実施の形態によりこの発明が限定されるものではない。
【００１１】
実施の形態１．
図１は、本発明の実施の形態１に係る脱臭装置の断面図である。図２は、実施の形態１に係る脱臭装置の下面図である。実施の形態１に係る脱臭装置２０は、室内の臭気成分を取り込んで除去する脱臭フィルタ２と、脱臭フィルタ２を保持する嵌め込み治具３と、多翼式羽根４及びモータ５を備えた送風機１５と、多翼式羽根４を収容する筐体部６と、嵌め込み治具３及び脱臭フィルタ２を筐体部６に固定する脱臭フィルタ固定具１３とを有する。筐体部６の下方には化粧グリル１が設置される。なお、化粧グリル１、嵌め込み治具３、多翼式羽根４、モータ５、筐体部６及び脱臭フィルタ固定具１３は、合成樹脂又は金属を用いて形成される。
【００１２】
多翼式羽根４は、モータ５の駆動軸に結合される。送風機１５は、脱臭フィルタ２の風下に設置され、臭気を含む空気７を吸引して脱臭フィルタ２を通過させる。
【００１３】
送風機１５により、化粧グリル１と筐体部６との隙間から臭気を含む空気７が脱臭装置２０内へ吸引される。脱臭装置２０内に吸引された臭気を含む空気７は、脱臭フィルタ２及び多翼式羽根４を通過する。脱臭フィルタ２及び多翼式羽根４を通過した清浄空気８は、筐体部６内の排気風路１６を通じて、化粧グリル１と筐体部６との隙間を介して脱臭装置２０の外に排出される。
【００１４】
脱臭装置２０に吸引される臭気を含む空気７は、図２に示すように化粧グリル１の三辺方向から吸引される。清浄空気８は、臭気を含む空気７が吸引されない側の辺及びこの辺を挟む二辺を含む三辺方向から排出される。なお、臭気を含む空気７が送風機１５によって吸引されることにより、臭気を含む空気７が通る化粧グリル１と筐体部６との隙間は負圧になるため、排出される清浄空気８が再び脱臭装置２０で処理されないように巻き込み防止リブ９が設けられている。
【００１５】
巻き込み防止リブ９は、脱臭フィルタ固定具１３の一部であり、臭気を含む空気７の流路と清浄化された清浄空気８の流路とを分ける。巻き込み防止リブ９は、脱臭フィルタ固定具１３の下方に設置される化粧グリル１まで延びており、脱臭装置２０へ吸引される臭気を含む空気７への清浄空気８の混入を防ぐ。
【００１６】
化粧グリル１は、脱臭装置２０の意匠性向上とモータ５への異物混入防止とを担っている。化粧グリル１は、樹脂製の一体成形物である。実施の形態１に係る脱臭装置２０において、化粧グリル１は、空気を通す穴が形成されていない前面フラット形状である。したがって、実施の形態１に係る脱臭装置２０は、天井又は壁といった取付け面と平行な方向から臭気を含む空気７を吸い込み、取付け面と平行な方向に清浄空気８を吹き出す。化粧グリル１は、軸１ａが筐体部６の軸受部６ａに嵌合し、かつ爪１ｂが筐体部６の爪６ｂに嵌合することで筐体部６に固定される。化粧グリル１は、爪１ｂを筐体部６の爪６ｂから外すことで、軸１ａ及び軸受部６ａを中心とした回転方向に開閉する。
【００１７】
図３は、実施の形態１に係る脱臭装置の嵌め込み治具及び脱臭フィルタの斜視図である。脱臭フィルタ２を保持する嵌め込み治具３は、図３に示すように脱臭フィルタ２のメンテナンス性向上のため、筐体部６から脱臭フィルタ２を取外すための取手部３ａと、爪部３ｂとが設けられている。嵌め込み治具３は、取手部３ａ及び爪部３ｂが設けられた面の裏側の面に脱臭フィルタ２を固定する。また、嵌め込み治具３は、脱臭フィルタ２への通気を可能とするため、開口部を形成するための格子部１０を備える。嵌め込み治具３は、格子部１０にフィルタを取り付けて、脱臭フィルタ２への埃及び虫の侵入を防止してもよい。フィルタには、１インチあたり４０メッシュとなる網を例示できるが、これに限定はされない。格子部１０にフィルタを取り付けることにより、脱臭フィルタ２内の空気通過部が閉塞することを防ぎ、脱臭機能が低下することを防止できる。
【００１８】
図４は、実施の形態１に係る嵌め込み治具及び脱臭フィルタの断面図である。図４に示すように、嵌め込み治具３の脱臭フィルタ２を固定する側の側面には、脱臭フィルタ２の吸着部がある側面との間に隙間を設けるための突起部１１が設けてある。図５は、実施の形態１に係る脱臭装置の突起部の形状を示す図である。図５（ａ）に示す突起部１１は、三角錐状である。図５（ｂ）に示す突起部１１は、四角錐状である。図５（ｃ）に示す突起部１１は、円錐状である。図５（ｄ）に示す突起部１１は、三角柱状である。図５に示した突起部１１は、脱臭フィルタ２と点接触又は線接触する。なお、突起部１１は、脱臭フィルタ２と点接触又は線接触する形状であれば、図５に例示した形状とは異なる形状であってもよい。
【００１９】
また、突起部１１は、脱臭フィルタ２と嵌め込み治具３との距離を一定に保つことができる箇所であればどこに設けてもよい。例えば、嵌め込み治具３の格子部１０又は周囲枠１２に突起部１１を設けても良い。また、突起部１１は脱臭フィルタ２の風上にあることが望ましい。脱臭フィルタ２と点接触又は線接触する突起部１１を脱臭フィルタ２の風上側に設けることで、嵌め込み治具３と脱臭フィルタ２とが風上側で面接触する場合と比較して、臭気を含む空気７が流入可能な脱臭フィルタ２の面積を拡げることができる。臭気を含む空気７が流入可能な脱臭フィルタ２の面積を拡げることにより、脱臭フィルタ２を通過する臭気を含む空気７の平均風速が低速になる。したがって、臭気を含む空気７が脱臭フィルタ２に滞在する時間が長くなり、脱臭効率が向上する。ただし、突起部１１は、脱臭フィルタ２の風下側に設けてもよい。また、突起部１１の数は任意である。
【００２０】
また、脱臭フィルタ２の外周部に突起部１１を接触させる場合には、嵌め込み治具３と脱臭フィルタ２との隙間から漏れた臭気を含む空気７が、脱臭フィルタ２と筐体部６との隙間及び筐体部６と脱臭フィルタ固定具１３との隙間を通って送風機１５に吸引されることを防ぐために、周囲枠１２には脱臭フィルタ２と線接触する突起部１１を設け、嵌め込み治具３と脱臭フィルタ２の外周部との隙間を塞ぐとよい。脱臭フィルタ２と線接触する突起部１１を周囲枠１２に設けることにより、臭気を含む空気７をすべて脱臭フィルタ２に通して清浄空気８にし、脱臭装置２０の外へ排出することができる。
【００２１】
脱臭フィルタ２は、処理ガスに含まれる臭気成分を吸着できる構造に形成される。具体的には、ハニカム構造の基材に吸着剤成分と触媒成分との少なくとも一方が担持されて形成される。基材には、吸着剤成分である疎水性ゼオライトがセラミックス表面に添着されているものの他に、シリカ、アルミナ、親水性ゼオライト、活性炭などを単体で用いてもよいし、これらの材料の混合物などを用いてもよい。
【００２２】
また、触媒成分には、酸化セリウム（ＣｅＯ２）、二酸化マンガン（ＭｎＯ２）、二酸化チタン（ＴｉＯ２）、鉛（Ｐｄ）、白金（Ｐｔ）、銅（Ｃｕ）、コバルト（Ｃｏ）、ニッケル（Ｎｉ）及び銀（Ａｇ）を例示できる。触媒は、種類によって分解除去を促進させる臭気成分の種類が異なるため、脱臭装置２０が使用される環境に適した触媒を基材に担持すれば良い。
【００２３】
そして、脱臭フィルタ２の細孔表面を処理ガスの気流の方向と直交させて脱臭フィルタ２を配置することで、処理ガスは脱臭フィルタ２のセル内を通過し、処理ガスに含まれる臭気成分は細孔内で吸着除去される。また、処理ガスの流量が大きくなる場合には、脱臭フィルタ２で発生する圧力損失の増大を抑制する必要がある。圧力損失の増大は、基材のセル数を１平方インチ当たり１００から１０００にすると抑制される。さらには、基材のセル数を１平方インチ当たり３００から８００とすることが望ましいがこれに限られるものではない。
【００２４】
図６は、実施の形態１に係る脱臭装置の脱臭フィルタ固定具と嵌め込み治具との嵌合状態を示す図である。なお、図６においては、構造を理解しやすくするために、脱臭フィルタ固定具１３及び嵌め込み治具３を切断して図示している。脱臭フィルタ固定具１３は、送風機１５の風上側で筐体部６に固定される。脱臭フィルタ固定具１３が筐体部６に固定されると、脱臭フィルタ固定具１３のベルマウス状の開口部１３ａは、送風機１５の風上側に配置される。図６に示すように、脱臭フィルタ固定具１３は、開口部１３ａの周囲の外枠部に風漏れ防止リブ１４を備える。風漏れ防止リブ１４は、脱臭フィルタ２を保持した嵌め込み治具３が嵌合すると、脱臭フィルタ２の周囲部と接する。風漏れ防止リブ１４が設けられた脱臭フィルタ固定具１３と嵌め込み治具３とで脱臭フィルタ２を固定することで、臭気を含む空気７を漏れなく脱臭フィルタ２に通風することができる。
【００２５】
実施の形態１に係る脱臭装置２０は、嵌め込み治具３に脱臭フィルタ２と点接触又は線接触する突起部１１を設けることにより、嵌め込み治具３と脱臭フィルタ２とが面接触する場合と比較して接触面積を低減できる。したがって、嵌め込み治具３の一部が脱臭フィルタ２の吸着部分を塞いでしまい、臭気を含む空気７が通風できる脱臭フィルタ２の有効面積を減少させてしまうことを抑制できる。
【００２６】
実施の形態２．
図７は、本発明の実施の形態２に係る脱臭装置の断面図である。実施の形態２に係る脱臭装置２０において、化粧グリル１は、格子状の開口部を有する化粧グリルである。この他は、実施の形態１に係る脱臭装置２０と同様である。
【００２７】
実施の形態２に係る脱臭装置２０では、臭気を含む空気７は、送風機１５により化粧グリル１に対して垂直方向に吸引される。したがって、実施の形態２に係る脱臭装置２０は、天井又は壁といった取付け面と垂直な方向から臭気を含む空気７を吸い込み、取付け面と垂直な方向に清浄空気８を吹き出す。
【００２８】
実施の形態２に係る脱臭装置２０は、実施の形態１に係る脱臭装置２０と同様に、嵌め込み治具３の一部が脱臭フィルタ２の吸着部分を塞いでしまい、臭気を含む空気７が通風できる脱臭フィルタ２の有効面積を減少させてしまうことを抑制できる。
【００２９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３０】
１  化粧グリル、１ａ  軸、１ｂ，６ｂ  爪、２  脱臭フィルタ、３  嵌め込み治具、３ａ  取手部、３ｂ  爪部、４  多翼式羽根、５  モータ、６  筐体部、６ａ  軸受部、７  臭気を含む空気、８  清浄空気、９  巻き込み防止リブ、１０  格子部、１１  突起部、１２  周囲枠、１３  脱臭フィルタ固定具、１３ａ  開口部、１４  風漏れ防止リブ、１５  送風機、１６  排気風路、２０  脱臭装置。
【図１】
2020058513.tif 000003
【図２】
2020058513.tif 000004
【図３】
2020058513.tif 000005
【図４】
2020058513.tif 000006
【図５】
2020058513.tif 000007
【図６】
2020058513.tif 000008
【図７】
2020058513.tif 000009